(57)【要約】【課題】この屋上緑化では、定期的に給水しなければならない。勿論、完全に自動化し人手を不要にすることもできるが、それはコストアップになる。元来、ビルの荷重の問題から、土壌が少ないため、その保持する水分量も少なくなる。このため、どうしても給水を頻繁に行なう必要があり、少し失念すると植物が枯れることになる。そこで、本発明では、植物の根が伸びる深さも確保し、かつ大量の水を保持でき、全体の重量も抑えた人工土壌を提供する。【解決手段】  高さ３ｃｍ以上の凹凸を有する支持体上に、網体を載置し、その上に土壌を５〜２０ｃｍ載置したもの。【選択図】  図１
2009118799.tif 000002
【特許請求の範囲】
【請求項１】
高さ３ｃｍ以上の凹凸を有する支持体上に、網体を載置し、その上に土壌を５〜２０ｃｍ載置したことを特徴とする人工土壌。
【請求項２】
全体を、網体付近にオーバーフローの水抜き開口を設けた容器に入れたものである請求項１記載の人工土壌。
【請求項３】
該支持体に通水孔を設けて、該支持体の下方にも水が貯蔵できるものである請求項１又は２記載の人工土壌。
【請求項４】
該通水孔は、該支持体の最も低い部分に設けたものである請求項３記載の人工土壌。
【発明の詳細な説明】
【技術分野】
【０００１】
本発明は、人工土壌に関するものである。
【背景技術】
【０００２】
近時、ビルの屋上やベランダの緑化が叫ばれてきている。これは、屋上等を緑化することによって、屋上の断熱性向上による冷房費等の削減と、植物を植えることによる二酸化炭素の吸収、更には土壌が保持する水分の蒸発潜熱等による温度変化の軽減等である。
政府もこれを促進するため、種々の便宜を図っている。例えば、建蔽率の見なおし、補助金の供与、減税等である。
【０００３】
この屋上緑化では、定期的に給水しなければならない。勿論、完全に自動化し人手を不要にすることもできるが、それはコストアップになる。元来、ビルの荷重の問題から、土壌が少ないため、その保持する水分量も少なくなる。
【０００４】
このため、どうしても給水を頻繁に行なう必要があり、少し失念すると植物が枯れることになる。
【発明の開示】
【発明が解決しようとする課題】
【０００５】
そこで、本発明では、植物の根が伸びる深さも確保し、かつ大量の水を保持でき、全体の重量も抑えた人工土壌を提供する。
【課題を解決するための手段】
【０００６】
以上のような状況に鑑み、本発明者は鋭意研究の結果本発明人工土壌を完成したものであり、その特徴とするところは、高さ３ｃｍ以上の凹凸を有する支持体上に、網体を載置し、その上に土壌を５〜２０ｃｍ載置した点にある。
【０００７】
ここで土壌とは、植物が栄養をとり自身を支える部分をいう。使用場所は、前記したビルの屋上に限らず、ベランダ、ビルの内部、道路の上、その他どのような場所でもよい。
【０００８】
本出願でいう支持体とは、高さ３ｃｍ以上の凹凸があり、その凹部に水が保持できるものである。凹凸の形状としては、表裏同じようなものが好ましい。例えば、屋根に使用する波板のような形状、卵の中敷（卵を段ボールに多量の充填する場合、１層ごとに中間に挿入するシートで、個々の卵が半分入る凹部を有している）のような形状、一面に多数の凹みがあるシート等である。
【０００９】
この支持体の材質は、プラスチック、金属、紙等でよい。
プラスチックの場合には、一体成型で簡単に製造できる。金属の場合でも薄くて押圧で成型して製造できる。
【００１０】
紙製の場合、樹脂を含むものがよい。樹脂をまったく含まないものでは、水で溶解してしまうためである。
樹脂を含む紙とは、本出願では２つの意味で使用する。１つは、紙を漉くときに樹脂成分を加え合わせて紙を製造するものである。このようなものは、すでに市販されており、例えば、前記した卵の中敷等として使用されている。
この種の紙の製造方法の１例としては、古紙を溶解、乾燥し、小片にしそれに接着剤（樹脂）を噴霧して金型に入れて成型する方法、また、パルプ状のときに樹脂を混合する方法等がある。勿論、これ以外に種々の方法が考えられ、またそのような方法はすでに公知である。
【００１１】
樹脂を含む紙の他の意味は、紙だけで製造したものに樹脂を塗布又は噴霧したものである。塗布する樹脂としてはテフロン（登録商標）系のもの、エポキシ系のものが優れていた。その理由は塗布が容易で、撥水性に優れているためである。
勿論、両方でもよい。即ち、漉くときに樹脂を加え、さらに成型後に樹脂を塗布してもよい。
【００１２】
これらの樹脂によって、紙であっても、土中で比較的長く（例えば、半年〜数年）形状を保持することができる。また、紙材自体の強度が大きく向上する。
１例を示すと、一般的な卵シートで１００ｇのものに、１００ｇの樹脂を塗布したもの（土壌は入れていない）に３０ｃｍ×４０ｃｍのベニヤ板を置き、その上に７０ｋｇの人が乗ってもまったく変化なかった。これに土壌を充填すると、相当な強度になることは明らかである。
【００１３】
更に、樹脂に金属粉末を混合したものを用いることもできる。銀、銅、タングステン、ステンレス、アルミニウム等である。金属粉体、特に銀や銅の粉体を混合すると、貯蔵された水中やその周辺、植物の根等につくカビや雑菌を防ぐ効果がある。
【００１４】
更に、この紙として、食料容器の廃材を用いることが望ましい。これは、現在このような紙で作られた食料容器（卵ケースや卵の中間シート等）は、使用後焼却されているため、無駄であるだけでなく、その処分にも費用がかかる。それより、燃焼による二酸化炭素の排出が問題である。
【００１５】
この支持体のサイズは、自由であるが工事の容易性等から縦、横が３０〜１００ｃｍ程度が好適である。また、高さは２０ｍｍ以上、好ましくは５０ｍｍ〜１００ｍｍである。
【００１６】
この支持体は、透水性があってもなくてもよい。透水性がない場合には、水はその上方でのみ保持される。この場合には、後述する支持体を収容する容器（プラスチック等の）は不要である。また、支持体に透水性があると、支持体を通過して下方に水が浸透し、その下の容器で貯蔵される。
【００１７】
支持体の透水性は、全体として多数の貫通孔を設けても、全体として網等の構造になっているか、また開口が１又は複数個設けたようなものでも、要するに水が下に浸透すればよい。
支持体が卵ケースのような場合、その最も低い位置（個々の卵が入る凹部の底の部分）にそれぞれ開口を設けてもよい。この場所が、開口を設けるのが簡単であるためである。
【００１８】
この支持体は、強度調整するため複数枚を重ねて使用してもよい。例えば、３〜５枚重ねて使用すると、強度が大きく向上する。
【００１９】
この支持体の上に網体を載置する。ここでいう網体とは、その上方に載置する土壌をある程度保持し、且つ水分は透過させるものをいう。また、植物の根も通過できるものである。
【００２０】
構造的には、一般の網状のものでも、多孔質のものでも、多数の開口を有する板でも、どのようなものでもよい。要するに、透水性があり、土壌をある程度支えればよい。
網状の場合、そのメッシュのサイズは、土壌が落下しない程度でよく、また完全に遮断できなくてもよい。材質としては、金属、プラスチックが好適である。同じものを複数枚載置してもよい。
【００２１】
この網体の上に土壌を載置（積層）する。積層厚みは、５〜２０ｃｍである。５ｃｍ以下では植物の生育は難しく、２０ｃｍ以上は不要であり、重量がかさむだけである。
【００２２】
ここでいう土壌は通常の土壌でも、園芸用の特別なものでも、また多孔質の粒体でも、どのようなものでもよい。要するにそこで植物が育つようなものであればどのようなものでもよい。
土壌には肥料を混合してもよい。遅効性の粒状の肥料が好ましい。
【００２３】
本発明人工土壌は、取り扱いが便利なように容器に入れてもよい。容器としては、段ボール、プラスチック、金属等である。容器は上記した支持体と同じ程度の高さのものがよい。本発明の１つを１つの容器に入れても、１つに複数の人工土壌を入れてもよい。
また、前述したとおり、支持体が透水性を有する場合には、これが必要になる。即ち、この部分で水を溜めるのである。
【００２４】
支持体や容器がプラスチックや金属で、植物の根を遮断し、水も通さないものであればそれを敷設する場所には何の処理も基本的には不要である。
通常は屋上のようなコンクリートの上に直接土壌を敷設して植物を植えると、コンクリートのクラックに根が浸透して雨漏り等の原因になり、コンクリートを破壊することにもなる。よって、土壌を敷設する前にシートを全面に敷き詰める等の工事を行なっている。これが非常に手間で経費のかかることであった。
このような手間が不要になることも本発明の大きな効果である。
【発明の効果】
【００２５】
本発明人工土壌には次のような効果がある。
（１）  土壌に下方に十分な水が貯蔵されており、植物も有効に利用できるため給水の手間が省ける。植物が枯れるということが少なくなる。
（２）  屋上のような荷重に制限のある場所にも簡単に載置できる。
（３）  根の侵入可能深さの割りに軽量である。
（４）  軽量であるにもかかわらず強度があり、人間がその上を歩行できる。
（５）  必要な場所に必要な量だけ簡単に土壌敷設ができる。
【発明を実施するための最良の形態】
【００２６】
以下図面に示す実施例に基づいて、本発明をより詳細に説明する。
【実施例１】
【００２７】
図１は、本発明人工土壌１の１例を示す断面図である。プラスチック製の容器２に支持体３を入れ、その上に網体４を置き、さらにその上に土壌５を充填したものである。
プラスチック製の容器２は透水性のないポリエチレン等の容器であり、この例では、大きさは５０ｃｍ×５０ｃｍであり、深さは１０ｃｍである。
【００２８】
このプラスチック製容器の網体４の高さ付近にオーバーフロー用の開口６（１又は複数個所）を設けている。これによって、開口より上方の水をその開口から外部に出し、土壌中に水が必要以上に溜まり根腐れ等を防止するためである。
【００２９】
支持体３は、透水性がなく、卵ケースのような形状のものを使用している。これは、ある程度深さを確保し、根の侵入を許容し、且つ荷重を少なくする効果を有するものである。
【００３０】
網体４は、ここでは１ｍｍ程度の目を持ったものである。勿論、もっと粗くてもよい。材質はステンレスである。
【００３１】
網体４に載せる土壌はどのようなものでもよいが、ここでは軽石のような多孔質で軽量なものを混合して軽量化したものを用いている。
【００３２】
この土壌に植物を植え、適当な場所に置くだけでよい。例えば、屋上、ベランダ、歩道、プラットフォームその他どのような場所でもよい。
【００３３】
図２は、支持体３の他の例を示す断面図である。支持体３の個々の凹部の底の部分７の最下部に開口８がそれぞれ設けられている。この開口８から水が容器２内に浸入する。これならば、貯水量が図１のほぼ倍になる。
【図面の簡単な説明】
【００３４】
【図１】本発明人工土壌の１例を示す概略断面図である。
【図２】本発明人工土壌に用いる支持体の１例を示す概略断面図である。
【符号の説明】
【００３５】
１  人工土壌
２  プラスチック容器
３  支持体
４  網体
５  土壌
６  開口
７  底部
８  開口
【図１】
2009118799.tif 000003
【図２】
2009118799.tif 000004